(57)【要約】【課題】フェンスどうしの連結が不用意に解除されてしまうことがなく、フェンスどうしの連結を確実に維持することができ、フェンスが周壁の周り方向へ円滑に旋回するフェンス用ジョイントを提供する。【解決手段】フェンス用ジョイント２０Ａでは、第１スペース２９とギャップ２４とに嵌入したフェンス４１Ａ，４１Ｂの湾曲部分４５が周壁２３と支持部材２５の内壁３０とに押圧下に支持されるとともに、湾曲部分４５を含む一方のフェンス４５Ａの側部４４が周壁２３の外周面２２と支持部材２５の第１外壁３１とに支持され、湾曲部分４５を含む他方のフェンス４１Ｂの側部４４が周壁２３の外周面２２と支持部材２５の第２外壁３２とに支持される。ジョイント２０Ａでは、それらフェンス４１Ａ，４１Ｂを周り方向へ旋回させると、第１外壁３１と第２外壁３２とが互いに離間するように周り方向へ旋回する。【選択図】図４
2006161352.tif 000002
【特許請求の範囲】
【請求項１】
一方向へ延びる円環状の周壁と、前記周壁の内外周面間を貫通して前記一方向へ延びるギャップとを有し、前記周壁の内側に前記一方向へ延びる円筒状の第１スペースが画成され、隣り合うフェンスの前記一方向へ延びる側部に形成された湾曲部分どうしが前記第１スペースと前記ギャップとに着脱可能に嵌入することで、前記フェンスどうしが前記周壁の周り方向へ旋回可能に連結されるフェンス用ジョイントにおいて、
前記ジョイントが、前記ギャップの反対側に位置する前記周壁の内周面に連接されて前記一方向へ延びる可撓性の支持部材を有し、前記支持部材が、前記内周面から前記第１スペースと前記ギャップとを通って前記周壁の外側に達する内壁と、前記周壁の外側に位置する前記内壁の外端部から前記ギャップを挟んで対向する前記周壁の一方へ向かって延出する第１外壁と、前記内壁の外端部から前記ギャップを挟んで対向する前記周壁の他方へ向かって延出する第２外壁とから形成され、
前記ジョイントでは、前記第１スペースと前記ギャップとに嵌入したそれらフェンスの湾曲部分が前記周壁と前記内壁とに押圧下に支持されるとともに、前記湾曲部分を含む一方のフェンスの側部が前記周壁の外周面と前記第１外壁とに支持され、前記湾曲部分を含む他方のフェンスの側部が前記周壁の外周面と前記第２外壁とに支持され、それらフェンスを前記周り方向へ旋回させると、前記第１および第２外壁が互いに離間するように前記周り方向へ旋回することを特徴とする前記ジョイント。
【請求項２】
前記第１外壁が、前記周壁をその外側から取り囲むように、前記内壁の外端部から該内壁と交差する方向へ延出した後、前記内壁と平行するように前記周壁の径方向へ延出し、前記第２外壁が、前記周壁をその外側から取り囲むように、前記内壁の外端部から該内壁と交差する方向へ延出した後、前記内壁と平行するように前記周壁の径方向へ延出し、
前記湾曲部分を含む一方のフェンスの側部が着脱可能に嵌入する第２スペースが、前記周壁と前記第１外壁との間に形成され、前記湾曲部分を含む他方のフェンスの側部が着脱可能に嵌入する第３スペースが、前記周壁と前記第２外壁との間に形成されている請求項１記載のフェンス用ジョイント。
【請求項３】
前記第１外壁が、前記周壁をその外側から取り囲むように、前記内壁の外端部から前記周壁の外周面に平行して該周壁の周り方向へ延出し、前記第２外壁が、前記周壁をその外側から取り囲むように、前記内壁の外端部から前記周壁の外周面に平行して該周壁の周り方向へ延出し、
前記湾曲部分を含む一方のフェンスの側部が着脱可能に嵌入する第２スペースが、前記周壁と前記第１外壁との間に形成され、前記湾曲部分を含む他方のフェンスの側部が着脱可能に嵌入する第３スペースが、前記周壁と前記第２外壁との間に形成されている請求項１記載のフェンス用ジョイント。
【請求項４】
前記フェンスの湾曲部分が、該フェンスの一方の側面に向かって円弧を画く半円状を呈する請求項１ないし請求項３いずれかに記載のフェンス用ジョイント。
【発明の詳細な説明】
【技術分野】
【０００１】
本発明は、隣り合うフェンスどうしを旋回可能に連結するフェンス用ジョイントに関する。
【背景技術】
【０００２】
縦方向へ延びる周壁と、周壁の内外周面間を貫通して縦方向へ延びるギャップとを有し、周壁の内側に縦方向へ延びる円筒状のスペースが画成され、隣り合う仮囲い板の縦方向へ延びる両側部に形成された湾曲部分どうしがスペースとギャップとに着脱可能に嵌入することで、仮囲い板どうしが周壁の周り方向へ旋回可能に連結されるジョイントがある（特許文献１参照）。周壁は、径方向の断面形状が円環状を呈し、縦方向上下に開口する上下開口と、ギャップを挟んで対向する対向縁部とを有する。湾曲部分は、仮囲いの一方の側面に向かって弧を画くとともに、その先端が仮囲いの側面に向かって鉤形に折り曲げられている。このジョイントは、それら仮囲いどうしを互いに離間させるように、仮囲いの一方を周壁の反時計周り方向へ旋回させるとともに、仮囲いの他方を周壁の時計回り方向へ旋回させると、それら仮囲いの湾曲部分がスペース内から周壁の外側に次第に露出する。
【特許文献１】特開平６−２００６３２号公報
【発明の開示】
【発明が解決しようとする課題】
【０００３】
特許文献１に開示のジョイントは、それを介して連結された仮囲いを周壁の反時計回り方向と時計回り方向とへ旋回させたときに、仮囲いの湾曲部分がスペース内から周壁の外側に次第に露出するので、湾曲部分がギャップから抜け出し、仮囲いがジョイントから外れてしまう場合があり、仮囲いどうしの連結が不用意に解除されてしまう場合がある。また、このジョイントは、周壁の反時計回り方向へ旋回させた一方の仮囲いを時計回り方向へ旋回させるときや周壁の時計回り方向へ旋回させた他方の仮囲いを反時計回り方向へ旋回させるときに、湾曲部分の折り曲げられた先端が周壁の内周面に引っ掛かり、それら仮囲いを円滑に旋回させることができない場合がある。
【０００４】
本発明の目的は、フェンスどうしの連結が不用意に解除されてしまうことがなく、フェンスどうしの連結を確実に維持することができ、フェンスが周壁の周り方向へ円滑に旋回するフェンス用ジョイントを提供することにある。
【課題を解決するための手段】
【０００５】
前記課題を解決するための本発明の前提は、一方向へ延びる円環状の周壁と、周壁の内外周面間を貫通して一方向へ延びるギャップとを有し、周壁の内側に一方向へ延びる円筒状の第１スペースが画成され、隣り合うフェンスの一方向へ延びる側部に形成された湾曲部分どうしが第１スペースとギャップとに着脱可能に嵌入することで、フェンスどうしが周壁の周り方向へ旋回可能に連結されるフェンス用ジョイントである。
【０００６】
前記前提における本発明の特徴は、ジョイントが、ギャップの反対側に位置する周壁の内周面に連接されて一方向へ延びる可撓性の支持部材を有し、支持部材が、周壁の内周面から第１スペースとギャップとを通って周壁の外側に達する内壁と、周壁の外側に位置する内壁の外端部からギャップを挟んで対向する周壁の一方へ向かって延出する第１外壁と、内壁の外端部からギャップを挟んで対向する周壁の他方へ向かって延出する第２外壁とから形成されていることにある。このジョイントでは、第１スペースとギャップとに嵌入したそれらフェンスの湾曲部分が周壁と内壁とに押圧下に支持されるとともに、湾曲部分を含む一方のフェンスの側部が周壁の外周面と第１外壁とに支持され、湾曲部分を含む他方のフェンスの側部が周壁の外周面と第２外壁とに支持され、それらフェンスを周壁の周り方向へ旋回させると、第１および第２外壁が互いに離間するように周壁の周り方向へ旋回する。
【０００７】
本発明の実施態様の一例は、第１外壁が周壁をその外側から取り囲むように、内壁の外端部から該内壁と交差する方向へ延出した後、内壁と平行するように周壁の径方向へ延出し、第２外壁が周壁をその外側から取り囲むように、内壁の外端部から該内壁と交差する方向へ延出した後、内壁と平行するように前記周壁の径方向へ延出し、湾曲部分を含む一方のフェンスの側部が着脱可能に嵌入する第２スペースが周壁と第１外壁との間に形成され、湾曲部分を含む他方のフェンスの側部が着脱可能に嵌入する第３スペースが周壁と第２外壁との間に形成されている。
【０００８】
本発明の実施態様の他の一例は、第１外壁が周壁をその外側から取り囲むように、内壁の外端部から周壁の外周面に平行して該周壁の周り方向へ延出し、第２外壁が周壁をその外側から取り囲むように、内壁の外端部から周壁の外周面に平行して該周壁の周り方向へ延出し、湾曲部分を含む一方のフェンスの側部が着脱可能に嵌入する第２スペースが周壁と第１外壁との間に形成され、湾曲部分を含む他方のフェンスの側部が着脱可能に嵌入する第３スペースが周壁と第２外壁との間に形成されている。
【０００９】
本発明の実施態様の他の一例は、フェンスの湾曲部分が該フェンスの一方の側面に向かって円弧を画く半円状を呈する。
【発明の効果】
【００１０】
本発明にかかるフェンス用ジョイントによれば、それを介して連結されたフェンスを周壁の周り方向へ旋回させると、第１および第２外壁が互いに離間するように周壁の周り方向へ旋回するから、隣り合うフェンスどうしを周壁の周り方向へ旋回可能に連結することができる。このジョイントは、ギャップに嵌入したそれらフェンスの湾曲部分が周壁と内壁とに押圧下に支持されるとともに、湾曲部分を含む一方のフェンスの側部が周壁の外周面と第１外壁とに支持され、湾曲部分を含む他方のフェンスの側部が周壁の外周面と第２外壁とに支持されるから、フェンスを周壁の周り方向へ旋回させたとしても、フェンスの湾曲部分がギャップから抜け出すことやフェンスがジョイントから外れてしまうことはなく、ジョイントを介してフェンスどうしを確実に連結することができる。このジョイントは、それらフェンスによってコーナーを形成するときのフェンスどうしの連結に好適に使用することができる。
【００１１】
第１外壁が内壁の外端部から内壁と交差する方向へ延出した後、内壁と平行するように周壁の径方向へ延出し、第２外壁が内壁の外端部から内壁と交差する方向へ延出した後、内壁と平行するように前記周壁の径方向へ延出しているジョイントでは、湾曲部分を含む一方のフェンスの側部が第２スペースに嵌入して周壁の外周面と第１外壁とに支持され、湾曲部分を含む他方のフェンスの側部が第３スペースに嵌入して周壁の外周面と第２外壁とに支持されるから、フェンスを周壁の周り方向へ旋回させたとしても、フェンスの湾曲部分がギャップから抜け出すことやフェンスがジョイントから外れてしまうことはなく、ジョイントを介してフェンスどうしを旋回可能かつ確実に連結することができる。
【００１２】
第１外壁が内壁の外端部から周壁の外周面に平行して該周壁の周り方向へ延出し、第２外壁が内壁の外端部から周壁の外周面に平行して該周壁の周り方向へ延出しているジョイントでは、湾曲部分を含む一方のフェンスの側部が第２スペースに嵌入して周壁の外周面と第１外壁とに支持され、湾曲部分を含む他方のフェンスの側部が第３スペースに嵌入して周壁の外周面と第２外壁とに支持されるから、フェンスを周壁の周り方向へ旋回させたとしても、フェンスの湾曲部分がギャップから抜け出すことやフェンスがジョイントから外れてしまうことはなく、ジョイントを介してフェンスどうしを旋回可能かつ確実に連結することができる。
フェンスの湾曲部分が該フェンスの一方の側面に向かって円弧を画く半円状を呈するジョイントは、フェンスを周壁の周り方向へ旋回させたとしても、フェンスの湾曲部分が周壁の内周面に引っ掛かることがないので、フェンスを周壁の周り方向へ円滑に旋回させることができる。
【発明を実施するための最良の形態】
【００１３】
添付の図面を参照し、本発明にかかるフェンス用ジョイントの詳細を説明すると、以下のとおりである。
【００１４】
図１，２は、フェンス４１Ａ，４１Ｂをジョイント２０Ａから外した状態で示すそれらの斜視図と、図１の２−２線矢視断面図とであり、図３は、ジョイント２０Ａを介してフェンス４１Ａ，４１Ｂどうしを連結したときの上面図である。図１，２では、縦方向を矢印Ｋ（図１のみ）、横方向を矢印Ｌで示し、周り方向を矢印Ｍ（図２のみ）、径方向を矢印Ｎで示す（図２のみ）。このジョイント２０Ａは、横方向へ並ぶフェンス４１Ａ，４１Ｂどうしを旋回可能に連結する。
【００１５】
ジョイント２０Ａは、内周面２１および外周面２２を有して縦方向（一方向）へ延びる可撓性の周壁２３と、周壁２３に形成されたギャップ２４と、縦方向へ延びる可撓性の支持部材２５とから構成されている。周壁２３は、その径方向の断面形状が円環状を呈し、縦方向上方に開口する上開口２６および縦方向下方に開口する下開口２７と、ギャップ２４を挟んで対向する対向縁部２８ａ，２８ｂとを有する。周壁２３の内側には、周壁２３に囲繞されて縦方向へ延びる円筒状の第１スペース２９が画成されている。ギャップ２４は、周壁２３の周り方向へ所定の隙間寸法を有して縦方向へ延びている。
【００１６】
支持部材２５は、ギャップ２４の反対側に延びる周壁２３の内周面２１に連接されている。換言すれば、ギャップ２４に対向する周壁２３の内周面２１に連接されている。支持部材２５は、内壁３０と第１および第２外壁３１，３２とから形成されている。内壁３０は、スペース２９とギャップ２４とを二分するように、周壁２３の径方向へ直状に延び、周壁２３の内周面２１からスペース２９とギャップ２４とを通って周壁２３の外側に達している。内壁３０は、周壁２３の内周面２１に位置する内端部３３と、周壁２３の外側に位置する外端部３４とを有する。
【００１７】
第１外壁３１は、周壁２３をその外側から取り囲むように、内壁３０の外端部３４から分岐してギャップ２４を挟んで対向する周壁２３の一方へ向かって延出している。第１外壁３１は、内壁３０の外端部３４に連なって横方向（内壁と交差する方向）へ延びる第１自由壁３５と、第１自由壁３５に連なって内壁３０と平行するように周壁２３の径方向へ延びる第２自由壁３６とから形成されている。第２自由壁３６の長さ寸法は、周壁２３の直径とほぼ同一である。第１自由壁３５と第２自由壁３６とは、周壁２３の外周面２２から外側へ所定寸法離間している。周壁２３と第１外壁３１との間には、第２スペース３７が形成されている（図２参照）。
【００１８】
第２外壁３２は、周壁２３をその外側から取り囲むように、内壁３０の外端部３４から分岐してギャップ２４を挟んで対向する周壁２３の他方へ向かって延出している。第２外壁３２は、内壁３０の外端部３４に連なって横方向（内壁と交差する方向）へ延びる第３自由壁３８と、第３自由壁３８に連なって内壁３０と平行するように周壁２３の径方向へ延びる第４自由壁３９とから形成されている。第４自由壁３９の長さ寸法は、周壁２３の直径とほぼ同一である。第３自由壁３８と第４自由壁３９とは、周壁２３の外周面２２から外側へ所定寸法離間している。周壁２３と第２外壁３２との間には、第３スペース４０が形成されている（図２参照）。
【００１９】
フェンス４１Ａ，４１Ｂは、縦長矩形を呈し、横方向へ延びる上端部４２および下端部４３と、縦方向へ延びる両側部４４とを有する。両側部４４には、フェンス４１Ａ，４１Ｂの一方の側面に向かって円弧を画く半円状の湾曲部分４５が形成されている。湾曲部分４５の曲率半径は、周壁２３の外周面２２のそれよりも小さい（図３参照）。
【００２０】
ジョイント２０Ａを介してそれらフェンス４１Ａ，４１Ｂどうしを連結する手順の一例は、以下のとおりである。一方のフェンス４１Ａの湾曲部分４５をジョイント２０Ａの上下開口２６，２７のいずれかからギャップ２４と第１スペース２９とに挿入するとともに、フェンス４１Ａの側部４４を第２スペース３７に挿入する。フェンス４１Ａの湾曲部分４５は、ギャップ２４において周壁２３の対向端部２８ａと内壁３０とに押圧下に支持される。湾曲部分４５を含むフェンス４１Ａの側部４４は、第２スペース３７において周壁２３の外周面２２と第１外壁３１（第１および第２自由壁３５，３６）とに支持される。次に、他方のフェンス４１Ｂの湾曲部分４５をジョイント２０Ａの上下開口２６，２７のいずれかからギャップ２４と第１スペース２９とに挿入するとともに、フェンス４１Ｂの側部４４を第３スペース４０に挿入する。フェンス４１Ｂの湾曲部分４５は、ギャップ２４において周壁２３の対向端部２８ｂと内壁３０とに押圧下に支持される。湾曲部分４５を含むフェンス４１Ｂの側部４４は、第３スペース４０において周壁２３の外周面２２と第２外壁３２（第３および第４自由壁３８，３９）とに支持される。それらフェンス４１Ａ，４１Ｂをジョイント２０Ａから取り外すには、それらフェンス４１Ａ，４１Ｂをジョイント２０Ａの上下開口２６，２７のいずれかから縦方向へ引き抜けばよい。
【００２１】
図４，５は、フェンス４１Ａ，４１Ｂを周壁２３の周り方向へ旋回させたときのジョイント２０Ａとフェンス４１Ａ，４１Ｂとの斜視図と、図４の５−５線矢視断面図とである。図４では、フェンス４１Ａ，４１Ｂの旋回方向を矢印Ｍ１，Ｍ２で示す。一方のフェンス４１Ａを矢印Ｍ１で示す周壁２３の時計周り方向へ旋回させ、他方のフェンス４１Ｂを矢印Ｍ２で示す周壁２３の反時計周り方向へ旋回させると、ギャップ２４に嵌入するそれらフェンス４１Ａ，４１Ｂの湾曲部分４５が周壁２３の対向縁部２８ａ，２８ｂと内壁３０とに接しながら、第１スペース２９に次第に進入する。さらに、一方のフェンス４１Ａの側部４４が第１外壁３１（第１および第２自由壁３５，３６）を押し広げ、外壁３１が矢印Ｍ１で示す周壁２３の時計周り方向へ旋回し、他方のフェンス４１Ｂの側部４４が第２外壁３２（第３および第４自由壁３８，３９）を押し広げ、外壁３２が矢印Ｍ２で示す周壁２３の反時計周り方向へ旋回する。
【００２２】
ジョイント２０Ａは、それを介して連結されたフェンス４１Ａ，４１Ｂを周壁２３の周り方向へ旋回させると、第１および第２外壁３１，３２が互いに離間するように周壁２３の周り方向へ旋回するから、横方向に隣り合うフェンス４１Ａ，４１Ｂどうしを周壁２３の周り方向へ旋回可能に連結することができる。ジョイント２０Ａは、ギャップ２４に嵌入するそれらフェンス４１Ａ，４１Ｂの湾曲部分４５が周壁２３の対向縁部２８ａ，２８ｂと内壁３０とに押圧下に支持されるとともに、湾曲部分４５を含む一方のフェンス４１Ａの側部４４が第２スペース３７に嵌入して周壁２３の外周面２２と第１外壁３１とに支持され、湾曲部分４５を含む他方のフェンス４１Ｂの側部４４が第３スペース４０に嵌入して周壁２３の外周面２２と第２外壁３２とに支持されるから、図３に示すように、それらフェンス４１Ａ，４１Ｂの側部４４どうしを互いに当接させるように旋回させたとしても、フェンス４１Ａ，４１Ｂの湾曲部分４５がギャップ２４から抜け出すことやフェンス４１Ａ，４１Ｂがジョイント２０Ａから外れてしまうことはなく、ジョイント２０Ａを介してフェンス４１Ａ，４１Ｂどうしを確実に連結することができる。このジョイント２０Ａは、それらフェンス４１Ａ，４１Ｂを周壁２３の周り方向へ旋回させたとしても、フェンス４１Ａ，４１Ｂの湾曲部分４５が周壁２３の内周面２１に引っ掛かることがないので、フェンス４１Ａ，４１Ｂを周壁２３の周り方向へ円滑に旋回させることができる。このジョイント２０Ａは、それらフェンス４１Ａ，４１Ｂによってコーナーを形成するときのフェンス４１Ａ，４１Ｂどうしの連結に好適に使用することができる。なお、ジョイント２０Ａの第１および第２外壁３１，３２は、それら壁３１，３２の外側から加えられた衝撃を吸収する保護カバーとしての機能も有する。
【００２３】
図６，７は、他の一例として示す図１と同様に斜視図と、図６の７−７線矢視断面図とであり、図８は、ジョイント２０Ｂを介してフェンス４１Ａ，４１Ｂどうしを連結したときの上面図である。図９，１０は、フェンス４１Ａ，４１Ｂを周壁２３の周り方向へ旋回させたときのジョイント２０Ｂとフェンス４１Ａ，４１Ｂとの斜視図と、図９の１０−１０線矢視断面図とである。図６，７では、縦方向を矢印Ｋ（図６のみ）、横方向を矢印Ｌで示し、周り方向を矢印Ｍ（図７のみ）、径方向を矢印Ｎで示す（図７のみ）。図９では、フェンス４１Ａ，４１Ｂの旋回方向を矢印Ｍ１，Ｍ２で示す。
【００２４】
ジョイント２０Ｂは、内周面２１および外周面２２を有して縦方向（一方向）へ延びる可撓性の周壁２３と、周壁２３に形成されたギャップ２４と、縦方向へ延びる可撓性の支持部材２５とから構成されている点において図１のジョイント２０Ａと同一である。このジョイント２０Ｂの構成が図１のジョイント２０Ａのそれと異なるのは、支持部材２５を形成する第１および第２外壁３１，３２が周壁２３の周り方向へ延出している点にあり、その他の構成は図１のジョイント２０Ａと同一であるから、図１と同一の符号を付してこのジョイント２０Ｂにおけるその他の構成の説明は省略する。なお、フェンス４１Ａ，４１Ｂは、図１のそれと同一である。
【００２５】
第１外壁３１は、周壁２３をその外側から取り囲むように、内壁３０の外端部３４から分岐してギャップ２４を挟んで対向する周壁２３の一方へ向かって延出している。第１外壁３１は、内壁３０の外端部３４に連なり、周壁２３の外周面２２に平行して周壁２３の周り方向へ円弧を画いて延びている。第１外壁３１は、周壁２３の外周面２２から外側へ所定寸法離間している。周壁２３と第１外壁３１との間には、第２スペース３７が形成されている（図７参照）。
【００２６】
第２外壁３２は、周壁２３をその外側から取り囲むように、内壁３０の外端部３４から分岐してギャップ２４を挟んで対向する周壁２３の他方へ向かって延出している。第２外壁３２は、内壁３０の外端部３４に連なり、周壁２３の外周面２２に平行して周壁２３の周り方向へ円弧を画いて延びている。第２外壁３２は、周壁２３の外周面２２から外側へ所定寸法離間している。周壁２３と第２外壁３２との間には、第３スペース４０が形成されている（図７参照）。
【００２７】
ジョイント２０Ｂを介してそれらフェンス４１Ａ，４１Ｂどうしを連結する手順は、図１のジョイント２０Ａのそれと同一である。なお、一方のフェンス４１Ａの湾曲部分４５をギャップ２４と第１スペース２９とに挿入し、フェンス４１Ａの側部４４を第２スペース３７に挿入すると、湾曲部分４５がギャップ２４と第１スペース２９とに嵌入し、湾曲縁部４５がギャップ２４において周壁２３の対向端部２８ａと内壁３０とに押圧下に支持され、湾曲部分４５を含むフェンス４１Ａの側部４４が第２スペース３７に嵌入して周壁２３の外周面２２と第１外壁３１とに支持される。また、他方のフェンス４１Ｂの湾曲部分４５をギャップ２４と第１スペース２９に挿入し、フェンス４１Ｂの側部４４を第３スペース４０に挿入すると、湾曲部分４５がギャップ２４と第１スペース２９とに嵌入し、湾曲縁部４５がギャップ２４において周壁２３の対向端部２８ｂと内壁３０とに押圧下に支持され、湾曲部分４５を含むフェンス４１Ｂの側部４４が第３スペース４０に嵌入して周壁２３の外周面２２と第２外壁３２とに支持される。フェンス４１Ａ，４１Ｂをジョイント２０Ｂから取り外すには、それらフェンス４１Ａ，４１Ｂをジョイント２０Ｂの上下開口２６，２７のいずれかから縦方向へ引き抜けばよい。
【００２８】
一方のフェンス４１Ａを矢印Ｍ１で示す周壁２３の時計周り方向へ旋回させ、他方のフェンス４１Ｂを矢印Ｍ２で示す周壁２３の反時計周り方向へ旋回させると、ギャップ２４に嵌入するそれらフェンス４１Ａ，４１Ｂの湾曲部分４５が周壁２３の対向縁部２８ａ，２８ｂと内壁３０とに接しながら、第１スペース２９に次第に進入する。さらに、一方のフェンス４１Ａの側部４４が第１外壁３１を押し広げ、外壁３１が矢印Ｍ１で示す周壁２３の時計周り方向へ旋回し、他方のフェンス４１Ｂの側部４４が第２外壁３２を押し広げ、外壁３２が矢印Ｍ２で示す周壁２３の反時計周り方向へ旋回する。
【００２９】
ジョイント２０Ｂは、それを介して連結されたフェンス４１Ａ，４１Ｂを周壁２３の周り方向へ旋回させると、第１および第２外壁３１，３２が互いに離間するように周壁２３の周り方向へ旋回するから、隣り合うフェンス４１Ａ，４１Ｂどうしを周壁２３の周り方向へ旋回可能に連結することができる。ジョイント２０Ｂは、ギャップ２４に嵌入するそれらフェンス４１Ａ，４１Ｂの湾曲部分４５が周壁２３の対向端部２８ａ，２８ｂと内壁３０とに押圧下に支持されるとともに、湾曲部分４５を含む一方のフェンス４１Ａの側部４４が第２スペース３７に嵌入して周壁２３の外周面２２と第１外壁３１とに支持され、湾曲部分４５を含む他方のフェンス４１Ｂの側部４４が第３スペース４０に嵌入して周壁２３の外周面２２と第２外壁３２とに支持されるから、図８に示すように、それらフェンス４１Ａ，４１Ｂの側部４４どうしを互いに当接させるように旋回させたとしても、フェンス４１Ａ，４１Ｂの湾曲部分４５がギャップ２４から抜け出すことやフェンス４１Ａ，４１Ｂがジョイント２０Ｂから外れてしまうことはなく、ジョイント２０Ｂを介してフェンス４１Ａ，４１Ｂどうしを確実に連結することができる。このジョイント２０Ｂは、それらフェンス４１Ａ，４１Ｂを周壁２３の周り方向へ旋回させたとしても、フェンス４１Ａ，４１Ｂの湾曲部分４５が周壁２３の内周面２１に引っ掛かることがないので、フェンス４１Ａ，４１Ｂを周壁２３の周り方向へ円滑に旋回させることができる。このジョイント２０Ｂは、それらフェンス４１Ａ，４１Ｂによってコーナーを形成するときのフェンス４１Ａ，４１Ｂどうしの連結に好適に使用することができる。なお、ジョイント２０Ａの第１および第２外壁３１，３２は、それら壁３１，３２の外側から加えられた衝撃を吸収する保護カバーとしての機能も有する。
【００３０】
それら図ではジョイント２０Ａ，２０Ｂを１つだけ図示しているが、複数個のジョイント２０Ａ，２０Ｂを使用することにより、隣り合う複数のフェンス４１Ａ，４１Ｂどうしを連結することができる。ジョイント２０Ａ，２０Ｂは、周壁２３に形成されたギャップ２４の周り方向の隙間寸法を調節することで、フェンス４１Ａ，４１Ｂの厚みに対応することができる。ジョイント２０Ａ，２０Ｂは、合成樹脂や硬質ゴムから作ることができる。合成樹脂には、硬化プラスチックを使用することが好ましい。
【００３１】
なお、特許請求の範囲における一方向は本実施形態の縦方向に相当するが、一方向をたて方向に限定するものではなく、特許請求の範囲における一方向が本実施形態の横方向に相当してもよい。この場合は、ジョイント２０Ａ，２０Ｂを介して隣り合うフェンス４１Ａ，４１Ｂどうしが縦方向へ旋回可能に連結される。
【図面の簡単な説明】
【００３２】
【図１】フェンスをジョイントから外した状態で示すそれらの斜視図。
【図２】図１の２−２線矢視断面図。
【図３】ジョイントを介してフェンスどうしを連結したときの上面図。
【図４】フェンスを周壁の周り方向へ旋回させたときの斜視図。
【図５】図４の５−５線矢視断面図。
【図６】他の一例として示す図１と同様に斜視図。
【図７】図６の７−７線矢視断面図。
【図８】ジョイントを介してフェンスどうしを連結したときの上面図。
【図９】フェンスを周壁の周り方向へ旋回させたときの斜視図。
【図１０】図９の１０−１０線矢視断面図。
【符号の説明】
【００３３】
２０Ａ        ジョイント
２０Ｂ        ジョイント
２１          内周面
２２          外周面
２３          周壁
２４          ギャップ
２５          支持部材
２９          第１スペース
３０          内壁
３１          第１外壁
３２          第２外壁
３４          外端部
３５          第１自由壁
３６          第２自由壁
３７          第２スペース
３８          第３自由壁
３９          第４自由壁
４０          第３スペース
４１Ａ        フェンス
４１Ｂ        フェンス
４４          側部
４５          湾曲部分
【図１】
2006161352.tif 000003
【図２】
2006161352.tif 000004
【図３】
2006161352.tif 000005
【図４】
2006161352.tif 000006
【図５】
2006161352.tif 000007
【図６】
2006161352.tif 000008
【図７】
2006161352.tif 000009
【図８】
2006161352.tif 000010
【図９】
2006161352.tif 000011
【図１０】
2006161352.tif 000012